(57)【特許請求の範囲】
【請求項１】
火災感知器と、その火災感知器から出力された火災信号を受信して自己保持する受信部を有する火災受信機とからなる火災報知設備において、
試験時に前記火災信号を携帯端末に送信する通信部と、
前記携帯端末からの復旧指令により、前記火災信号を出力した火災感知器を復旧させると共に、前記火災感知器から出力された火災信号を受信して自己保持した前記受信部の自己保持を解除する復旧部と、
を前記火災受信機に設けたことを特徴とする火災報知設備。
【請求項２】
前記通信部と前記携帯端末との間の通信は、移動通信網、または、移動通信網を介したインターネット網、を介して行うことを特徴とする、請求項１記載の火災報知設備。
【請求項３】
前記火災受信機は、試験時に前記火災信号をインターネット網を介してＷＷＷサーバに送信することを特徴とする請求項２記載の火災報知設備。
【請求項４】
前記火災信号に伴う情報をホームページで閲覧できるように前記ＷＷＷサーバの記憶手段に書き込む制御手段を設けたことを特徴とする請求項３記載の火災報知設備。
【発明の詳細な説明】
【０００１】
【発明の属する技術分野】
本発明は、火災報知設備に関するもので、特に携帯電話を利用して一人で火災報知設備を点検できる点検方法に関するものである。
【０００２】
【従来技術】
従来の火災報知設備の点検方法について簡単に説明する。点検時には、点検者がガスや熱を試験器を利用して火災感知器に加える。そうすると火災感知器は火災信号を出力し、火災受信機の受信部が火災信号を受信する。火災受信機では、発報した火災感知器のアドレス（又は地区番号）が表示され、主音響が鳴動する。
【０００３】
火災受信機側には別の点検者がいて、試験器によって火災感知器が正常に動作したことを受信機側で確認する。この際、受信機側の点検者は、トランシーバなどを利用して火災感知器側の点検者と連絡をとりあう。即ち受信機側の点検者は、どこの場所に設置されている火災感知器が正常に動作したかを、感知器側の点検者へ連絡する。
【０００４】
そして受信機側の点検者は、復旧操作をして火災感知器を復旧させる。火災感知器側では感知器の確認灯が消灯して、感知器が復旧したことを確認したら、場所を移動して引き続き別の火災感知器の点検を行う。
【０００５】
【発明が解決しようとする課題】
従来の点検方法では、感知器側で試験器を操作する者と、受信機側で火災信号に伴う火災表示の確認をする者との二人の点検者が必要であり、人件費がかさむという問題点があった。
【０００６】
ところで近年、携帯電話を利用した技術や発明が色々と開示されている。例えば、特開平１０−４０４８５号には、火災時に火災感知器の火災信号を携帯電話に出力するようにしたものが開示されている。
【０００７】
そこで本発明では、このような携帯電話を利用して、一人で火災報知設備の点検を行うことができるようにすることを目的とする。
【０００８】
【課題を解決するための手段】
本発明は、火災感知器と、その火災感知器から出力された火災信号を受信して自己保持する受信部を有する火災受信機とからなる火災報知設備において、試験時に前記火災信号を携帯端末に送信する通信部と、前記携帯端末からの復旧指令により、前記火災信号を出力した火災感知器を復旧させると共に、前記火災感知器から出力された火災信号を受信して自己保持した前記受信部の自己保持を解除する復旧部と、を前記火災受信機に設けたことを特徴とするものである。
【０００９】
【発明の実施の形態】
実施形態１
図１は、本発明の火災報知設備のブロック図であり、火災報知設備１は、火災感知器５と火災受信機１０とから構成されている。なお図示しないが火災受信機１０には、防排煙機器や地区音響装置などが接続されている。図１において、Ｍは点検者で火災感知器５側にいる。点検者Ｍは試験器６と携帯端末としての携帯電話７（又はＰＨＳ）を持っている。
【００１０】
次に火災受信機１０のブロック構成について説明する。１１はマイクロプロセッサなどから構成される制御手段である。１２は受信部で電源兼信号線を介して火災感知器５と接続されており、火災感知器５から出力される火災信号を受信する。１３は通信部で、点検（試験）時に、受信部１２が受信した火災信号を携帯電話７に送信すると共に、携帯電話７からの復旧指令（制御信号）を受信する部分である。通信部１３は、所定の操作又は入力によって予め設定された携帯電話７の電話番号が登録された自動ダイアラなどから構成される。
【００１１】
１４は操作部で、音響停止スイッチやテンキーなどからなる。なお１４Ａは操作部１４に設けられた試験スイッチである。１５は記憶設定部で、火災受信機１０を制御するにあたって必要な各種プログラムや閾値、定数や火災感知器５のアドレス対照表などを記憶してある。また操作部１４からの入力により、特定の情報を設定して記憶させておくことが可能である。１６は表示部で、火災発生時に、火災発生地区や発報した感知器のアドレスなどを表示する部分である。
【００１２】
１７はコントロールユニットであり、携帯電話７からの復旧指令により復旧部１８を動作させる。１８は復旧部で、携帯電話７からの復旧指令により、火災信号を出力した火災感知器５を復旧させると共に、火災受信機１０の火災信号の入力に伴う自己保持状態を解除する部分である。
【００１３】
ここで、携帯電話７からの遠隔制御機能について補足説明する。コントロールユニット１７は、携帯電話からの制御命令によってエアコンなどを動作させるという公知の技術を利用したものである。この制御機能は、例えば携帯電話７が具備するテンキー又はファンクションキーにコントロール機能を定義しておき、テンキー又はファンクションキーの押下情報により、携帯電話７の制御部がコントロール制御プログラムを起動することで実現できるものである。
【００１４】
以上説明した各ブロック（受信部１２〜復旧部１８）は、記憶設定部１５に記憶されたプログラムに基づいて制御手段１１によって制御される。
【００１５】
次に本発明の火災報知設備１における点検方法について説明する。まず点検者Ｍは、火災受信機１０に出向いて、操作部１４の試験スイッチ１４Ａを押す。この試験スイッチ１４Ａをオンされている間は、通信部１３が動作し、火災信号は携帯電話７に送信されることになる。試験スイッチ１４Ａの操作が終わったら、点検者Ｍは、火災感知器５の設置現場に移動する。
【００１６】
点検者Ｍは、試験器６を利用して、火災感知器５を発報させる。火災感知器５は動作すると、火災信号を出力し、火災受信機１０の受信部１２は、その火災信号を受信する。受信機１０の制御手段１１は、表示部１６に火災表示を行う。また通信部１３は、点検者Ｍが使用する携帯電話７に火災信号を送信する。この時、送信する火災信号としては、発報した火災感知器５のアドレスなどをデータ信号として付加させるようにしてもよい。
【００１７】
このように試験スイッチ１４Ａによって動作する通信部１３を設けることで、火災受信機１０側に点検者がいなくても、火災感知器５側で火災信号の受信状態を確認することができる。
【００１８】
点検者Ｍは、携帯電話７により火災信号を受信したことを確認したら、コントロールユニット１７を起動するために、予め定義された、携帯電話７のキーを操作して復旧指令を出力する。通信部１３が、その復旧指令を受信すると、制御手段１１は、コントロールユニット１７に復旧命令を出力する。そしてコントロールユニット１７が、復旧部１８を動作させて、火災感知器５を復旧させる。なお、復旧部１８の動作は、図示しない復旧スイッチが押されたと同じ作用である。
【００１９】
このように携帯電話７からの復旧指令により、火災信号を出力した火災感知器５を復旧させる復旧部１８を設けることで、火災受信機１０側で復旧操作を行う点検者が不要となり、一人で火災報知設備１の点検を行うことが可能となる。
【００２０】
実施形態２
本発明の実施形態２について説明する。なお実施形態１と同じ部分には同じ符号をつけ説明を省略する。実施形態１との大きな違いは、火災信号をインターネット網を介してＷＷＷサーバに送信する点である。
【００２１】
図２は、本発明の実施形態２の火災報知設備１Ｃのブロック図である。図２において、７Ｃは携帯電話で、インターネットに接続可能なタイプであり、ブラウザ機能を備え、インターネット上のホームページを閲覧することができるものである。なお携帯電話の代わりとして同様な機能を備えたＰＤＡなどを利用してもよい。
【００２２】
次に火災受信機１０Ｃの実施形態１と異なるブロック構成について説明する。１３Ｃは通信部で、点検（試験）時に、受信部１２が受信した火災信号をＷＷＷサーバ３０に送信すると共に、携帯電話８からの復旧指令（制御信号）を受信する部分である。通信部１３は、インターネットインターフェースなどを備え、ＷＷＷサーバ３０のＵＲＬが設定されている。
【００２３】
１５は記憶設定部で、実施形態１で説明したものを記憶している他、操作部１４からの入力により、特定の情報として、火災報知設備１Ｃが設置してある物件情報、例えば「千代田○○ビル」などのビルの住所や名前が設定されて記憶してある。この特定情報は、火災信号をＷＷＷサーバ３０に送信する際、一緒に送信される。
【００２４】
図２において、８は移動通信網、９はインターネット網である、また３０はインターネット網９に接続されたＷＷＷサーバである。ＷＷＷサーバ３０は、火災報知設備１Ｃ のメーカ又は施工した防災会社内に設置されている。ＷＷＷサーバ３０は、ホームページファイルを格納し、インターネット網９上に公開する。但しホームペー ジ上の火災感知器に関する情報は、ＩＤとパスワードを有する点検員に対してのみ公開する。ＷＷＷサーバ３０は、サーバ通信手段３１、制御手段３２及び記憶 手段３３を備えている。制御手段３２は、サーバ通信手段３１から取り込んだ情報を、ＷＷＷサーバ３０のホームページ上で閲覧できるように、記憶手段３３に 書き込む。なおＷＷＷサーバ３０には、サーバ対応インタフェースを介してクラインアトコンピュータが接続可能であり、このコンピュータによってホームペー ジの作成や点検情報の抽出などが行われる。
【００２５】
次に本発明の火災報知設備１Ｃにおける点検方法について説明する。まず点検者Ｍは、火災受信機１０Ｃに出向いて、操作部１４の試験スイッチ１４Ａを押す。この試験スイッチ１４Ａのオンにより、通信部１３Ｃが動作して、インターネット網９を介してＷＷＷサーバ３０に接続する。この接続の際、操作部１４を操作してＩＤやパスワードを入力して認証手続きをとるようにしても良い。試験スイッチ１４Ａがオンされている間は、制御手段１１は、火災信号をＷＷＷサーバ３０に送信するよう制御する。試験スイッチ１４Ａの操作が終わったら、点検者Ｍは、火災感知器５の設置現場に移動する。
【００２６】
点検者Ｍは、試験器６を利用して、火災感知器５を発報させる。火災感知器５は動作すると、火災信号を出力し、火災受信機１０Ｃの受信部１２は、その火災信号を受信する。受信機１０Ｃの制御手段１１は、表示部１６に火災表示を行う。また通信部１３Ｃは、ＷＷＷサーバ３０にアドレス情報が付加された火災信号を送信する。この時、記憶設定部１５に記憶された物件情報「千代田○○ビル」という情報も一緒に送信される。
【００２７】
通信部１３Ｃから送信された情報は、サーバ通信手段３１を介してＷＷＷサーバ３０内の記憶手段３３に取り込まれる。ＷＷＷサーバ３０の制御手段３２は、この取り込んだ情報を、物件情報毎にまとめて記憶手段３３に格納する。例えば「千代田○○ビルの感知器（アドレス０１１）発報  時刻１４：２３分」というような感じで物件情報毎に時刻と共に記憶手段３３に情報を書き込むように制御ずる。
【００２８】
そして点検者Ｍは、携帯電話７Ｃを利用して移動通信網８を介して、インターネット上のＷＷＷサーバ３０のホームページを閲覧する。なおＷＷＷサーバ３０へのログオン時には、自身のＩＤ、パスワードを入力するようにして、火災報知設備１Ｃの点検者ＭのみがＷＷＷサーバ３０のホームページを閲覧できるように設定することが好ましい。
【００２９】
点検者Ｍは、ＷＷＷサーバ３０のホームページを閲覧して、点検した火災感知器５が正常に動作したことを確認する。このようにインターネットに接続可能な携帯電話７Ｃを利用して、試験スイッチ１４Ａによって動作する通信部１３Ｃを設けることで、火災受信機１０Ｃ側に点検者をおかなくても、火災感知器５側で火災信号の受信状態を確認することが可能となる。
【００３０】
点検者Mは、携帯電話７Ｃにより火災信号を受信したことを確認したら、実施形態１で説明したように、携帯電話７Ｃのキーを操作して復旧指令を出力する。通信部１３Ｃは、その復旧指令を受信すると、コントロールユニット１７が、復旧部１８を動作させて、火災感知器５を復旧させると共に火災受信機１０の火災信号の入力に伴う自己保持を解除する。なお、携帯電話７Ｃからの復旧指令は、通信部１３Ｃに直接出力させずに、移動通信網８を介してWWWサーバ３０のサーバ通信手段３１に出力するようにしてもよい。この場合には制御手段３２は、サーバ通信手段３１から復旧指令を取り込んだら、その復旧指令を火災受信機１０Ｃの通信部１３Ｃに出力するよう制御する。
【００３１】
このように携帯電話７Ｃからの復旧指令により、火災信号を出力した火災感知器５を復旧させると共に火災受信機１０の火災信号の入力に伴う自己保持を解除する復旧部１８を設けることで、火災受信機１０Ｃ側で復旧操作を行う点検者が不要となり、一人で火災報知設備１Ｃの点検を行うことが可能となる。このようにして火災感知器５の点検を行っていき、全ての感知器５の点検が終了したら、火災受信機１０Ｃに戻って、試験スイッチ１４Ａをオフする。
【００３２】
なお実施形態２において、ＷＷＷサーバ３０上に点検情報が格納されるので、点検員Ｍは防災会社に帰社してから、この点検情報をコンピュータから抽出して点検に関わる作業報告書などを作成することができる。
【００３３】
なお、各実施の形態では、携帯電話からの復旧指令によって、火災受信機の火災信号を出力した火災感知器を復旧させると共に火災受信機の火災信号の入力に伴う自己保持を解除するようにしたが、火災受信機において自動復旧をさせるようにしても良い。この場合には、火災受信機のコントロールユニット及び復旧部を省き、その代わりに自動復旧スイッチを設ける。この自動復旧スイッチは、感知器点検時に火災発報後、所定時間経過すると自動的に復旧させるスイッチである。従って点検時にまず受信機側でこの自動復旧スイッチをオンしてから点検を開始すればよい。またコントロールユニットには、シャツタや防火戸などの防排煙機器を接続させてもよい。このようにすると防排煙機器の起動、復帰操作を携帯電話から行うことができるので、火災感知器以外の点検も一人で行うことができるようになる。
【００３４】
【発明の効果】
本発明は以上のように構成され、火災感知器と、その火災感知器から出力された火災信号を受信して自己保持する受信部を有する火災受信機とからなる火災報知設備において、試験時に火災信号を携帯端末に送信する通信部と、携帯端末からの復旧指令により、火災信号を出力した火災感知器を復旧させると共に、火災感知器から出力された火災信号を受信して自己保持した受信部の自己保持を解除する復旧部とを火災受信機に設けたので、受信機側の火災信号の確認や復旧操作が不要となり、火災報知設備を一人で点検することができる。
【００３５】
また、試験時に火災信号をインターネット網を介してＷＷＷサーバに送信する通信部を設けたので、ＷＷＷサーバのホームページから火災信号の受信状態を確認できるので、火災受信機側に点検要員をおく必要がなくなり、火災報知設備を一人で点検することができる。またＷＷＷサーバを防災会社に設置することで、防災会社の社員である点検員は、会社に帰社してから、ＷＷＷサーバに格納された点検情報を基に、点検の報告書などを作成することができる。
【図面の簡単な説明】
【図１】図１は、本発明の実施形態１の火災報知設備のブロック図である。
【図２】図２は、本発明の実施形態２の火災報知設備のブロック図である。
【符号の説明】
Ｍ 点検者、 １ 火災報知設備、 １Ｃ 火災報知設備、５ 火災感知器、 ６ 試験器、 ７ 携帯電話、 ７Ｃ 携帯電話、８ 移動通信網、 ９ インターネット網、１０ 火災受信機、 １０Ｃ 火災受信機、 １１ 制御手段、１２ 受信部、 １３ 通信部、 １３Ｃ 通信部、 １４ 操作部、１４Ａ 試験スイッチ、 １５ 記憶設定部、 １６ 表示部、１７ コントロールユニット、 １８ 復旧部、 ３０ ＷＷＷサーバ、３１ サーバ通信手段、 ３２ 制御手段、 ３３ 記憶手段 
【図１】
0004761682.tif 000002
【図２】
0004761682.tif 000003